(57)【要約】【課題】読取りエラー後の再読取りにおいて、磁気情報の読取の成功の確率を高める。【解決手段】カードリーダの磁気ヘッド装置は、読取りエラー後に、磁気カード上に形成された磁気ストライプの読取り範囲を変えて再読取りを行なう。例えば、磁気ストライプの読取り範囲が異なる複数の磁気コア５１，５２を有する磁気ヘッド５に電気的に接続されるとともに、採用する磁気コアの読取りデータを切り替えることで磁気ストライプの読取り範囲を変えるようにする。【選択図】図１
2011070745.tif 000002
【特許請求の範囲】
【請求項１】
カード状媒体に形成された磁気ストライプに記録されている磁気情報の読取が行われるカードリーダの磁気ヘッド装置であって、
この磁気ヘッド装置は、異なるコア幅を有する複数の磁気コアが磁気ギャップを介して対向して配置され、これら複数の磁気コアが前記磁気ストライプに接触・摺動しながら前記磁気情報の読取を行う磁気ヘッドと、
前記磁気ヘッドから出力される信号によって前記磁気情報の読取が適正に行なわれたかどうかを判定する判定部と、
前記磁気情報の読取が適正に行われない場合、前記複数の磁気コアのいずれかの磁気コアから出力される信号に切り替える信号切替手段と、
を備えてなることを特徴とするカードリーダの磁気ヘッド装置。
【請求項２】
前記磁気ヘッドは、第一磁気コアと、該第一磁気コアのコア幅より狭いコア幅を有する第二磁気コアを有し、前記信号切替手段は、前記第一磁気コアから出力される信号と、前記第二磁気コアから出力される信号のどちらかに切り替えることを特徴とする請求項１記載のカードリーダの磁気ヘッド装置。
【請求項３】
前記磁気ヘッド装置には、前記第一磁気コアから出力される信号から、前記第二磁気コアから出力される信号を減ずる演算回路を備えてなる請求項２記載のカードリーダの磁気ヘッド装置。
【請求項４】
磁気ヘッド装置によってカード状媒体に形成された磁気ストライプに記録されている磁気情報の読取が行われるカードリーダの再読取方法であって、
前記磁気情報の読取が適正に行われない場合、信号切替手段が前記複数の磁気コアのいずれかの磁気コアから出力される信号に切り替え、
切り替えられた磁気コアから出力される信号を用いて前記磁気情報の読取を行うことを特徴とするカードリーダの再読取方法。
【発明の詳細な説明】
【技術分野】
【０００１】
本発明は、カード状媒体に形成された磁気ストライプの磁気情報の読取／書込を行うカードリーダに関し、特に、読取エラー後に再読取を行なうカードリーダの磁気ヘッド装置、及びカードリーダの再読取方法に関する。
【背景技術】
【０００２】
一般に、ＡＴＭ、自動販売機、自動券売機などにおいて、磁気ストライプを備えたカード状媒体に対して特定の磁気情報の読取／書込を行うカードリーダが広く採用されている。このカードリーダには、磁気ストライプに記録された磁気情報の読取を行い、または磁気ストライプに磁気情報の書込を行うように、磁気ヘッドが備えられている。
上述したカードリーダ内のカード搬送路にカード状媒体を搬送させて、磁気ヘッドが、カード状媒体に形成された磁気ストライプに接触・摺動し、磁気ストライプに磁気情報の読取あるいは書込を行っている。
このような磁気ヘッドとして、たとえば、コア幅の異なる２つの磁気コアを有し、コア幅の広い磁気コアを使用して磁気カード（カード状媒体）の磁気ストライプに磁気情報の書込を行い、コア幅の狭い磁気コアを使用して磁気ストライプに記録されている磁気情報の読取を行うものがある（特許文献１）。
【０００３】
【特許文献１】特公平６−８２４４７号
【発明の開示】
【発明が解決しようとする課題】
【０００４】
従来、カードリーダは、カード状媒体の磁気ストライプに記録されている磁気情報の読取時に読取エラーが発生した場合、再読取を行なって磁気情報を正しく読み直そうとする。しかしながら、例えば、カード状媒体の磁気ストライプ上に傷や部分的な減磁があった場合、磁気ストライプの同じ範囲を、磁気ヘッドが接触・摺動して再読取を行なうので、読取エラーが発生した場合と同じように読取エラーになる確率が高いという問題がある。
【０００５】
本発明は、磁気情報の読取エラーが発生した後の再読取において読取の成功の確率が高いカードリーダの磁気ヘッド装置及びカードリーダの再読取方法を提供することを目的とする。
【課題を解決するための手段】
【０００６】
かかる目的を達成するため、本発明のカードリーダの磁気ヘッド装置は、カード状媒体に形成された磁気ストライプに記録されている磁気情報の読取が行われるカードリーダの磁気ヘッド装置であって、この磁気ヘッド装置は、異なるコア幅を有する複数の磁気コアが磁気ギャップを介して対向して配置され、これら複数の磁気コアが前記磁気ストライプに接触・摺動しながら磁気情報の読取を行う磁気ヘッドと、磁気ヘッドから出力される信号によって磁気情報の読取が適正に行なわれたかどうかを判定する判定部と、磁気情報の読取が適正に行われない場合、複数の磁気コアのいずれかの磁気コアから出力される信号に切り替える信号切替手段と、を備えてなることを特徴とする。
【０００７】
本発明では、磁気情報の読取が適正に行われない場合、前記複数の磁気コアのいずれかの磁気コアから出力される信号に切り替える信号切替手段を備えているので、磁気ストライプに記録されている磁気情報の読取の範囲を変えることができ、読取エラーが発生した後の再読取において、従来のように、読取範囲を変えずに再読取を行なう場合に比べて、磁気情報の読取が成功する確率を高めることができる。例えば、磁気ストライプ上に傷や部分的な減磁があった場合、信号切替手段によって磁気ストライプに記録されている磁気情報の読取範囲を変えることで、傷や減磁の影響を受けることなくまたは減少させて再読取を行なうことが可能となる。
【０００８】
本発明において、磁気ヘッドは、第一磁気コアと、第一磁気コアのコア幅より狭いコア幅を有する第二磁気コアを有し、信号切替手段は、第一磁気コアから出力される信号と、前記第二磁気コアから出力される信号のどちらかに切り替えることが好ましい。このように構成すると、第一磁気コアを用いて磁気情報の読取を行なう場合と、コア幅の狭い第二磁気コアを用いて磁気情報の読取を行なう場合では、コア幅に対応して磁気ストライプの読取の範囲を変えることができるので、磁気ヘッドを磁気ストライプの幅方向に移動させて磁気ストライプを接触・摺動する位置を変更させることなく、読取の範囲を変えることができる。このため、磁気ヘッドを移動させるための駆動機構を必要せず、磁気ヘッド装置を小型化、軽量化することが可能となる。
【０００９】
本発明において、磁気ヘッド装置には、第一磁気コアから出力される信号から、前記第二磁気コアから出力される信号を減ずる演算回路を備えてなることが好ましい。このように構成すると、演算回路により、第一磁気コアから出力される信号から、第二磁気コアから出力される信号を減ずることで、磁気ストライプ上に傷や部分的な減磁があった場合、これら傷や減磁の影響をより減少させて再読取を行なうことが可能となる。
【００１０】
さらに、本発明では、磁気ヘッド装置によってカード状媒体に形成された磁気ストライプに記録されている磁気情報の読取が行われるカードリーダの再読取方法であって、磁気情報の読取が適正に行われない場合、信号切替手段が複数の磁気コアのいずれかの磁気コアから出力される信号に切り替え、切り替えられた磁気コアから出力される信号を用いて前記磁気情報の読取を行うことを特徴とする。そのため、再読取りでは、最初の読取り範囲とは異なる範囲の磁気データが読み取られるので、傷や部分的な減磁のない部分又はそれらの影響の小さい部分を再読み取る可能性が高くなる。
【発明の効果】
【００１１】
以上のように、本発明では、磁気情報の読取が適正に行われない場合、前記複数の磁気コアのいずれかの磁気コアから出力される信号に切り替える信号切替手段を備えているので、磁気ストライプに記録されている磁気情報の読取の範囲を変えることができ、読取エラーが発生した後の再読取において、従来のように、読取範囲を変えずに再読取を行なう場合に比べて、磁気情報の読取が成功する確率を高めることができる。
【図面の簡単な説明】
【００１２】
【図１】本発明の実施の形態にかかる磁気ヘッド装置を備えたカードリーダの概略側面図である。
【図２】カードの磁気ストライプと読取り範囲の関係を示す図である。
【図３】本発明の磁気ヘッド装置の実施形態の一例を示し、その概略構成を示すブロック図及び磁気ヘッドの平面図である。
【図４】本発明のカードリーダに使用する磁気ヘッドの一実施形態を示し、（Ａ）は斜視図、（Ｂ）は平面図である。
【図５】本発明の磁気ヘッド装置の他の実施形態を示す概略構成図である。
【発明を実施するための最良の形態】
【００１３】
以下、本発明の構成を図面に示す最良の形態に基づいて詳細に説明する。
【００１４】
（カードリーダ）
図１は、本発明の実施の形態にかかる磁気ヘッド装置を備えたカードリーダの概略側面図である。図２は、カード状媒体の磁気ストライプと、この磁気ストライプの読取の範囲の関係を示す図である。
【００１５】
カードリーダ１０は、カード状媒体Ｃ（以下、「カードＣ」という。）に対して磁気情報を読取／書込を行うものである。このカードリーダ１０は、図１に示すように、カードリーダ１０内にカードＣを挿入するカード挿入口１と、カード挿入口１を通して挿入されたカードＣを読取／書込位置まで案内されるカード搬送路４とを有している。このカード挿入口１の内側のカード搬送路４には、カードＣの磁気ストライプＣＳと対応する位置に配置されて、カードＣが挿入されたことを検出するプリヘッド２と、異物や不正カード等の挿入を阻止し正規のカードＣの場合にソレノイド等の駆動手段（図示せず）によりカード搬送路４を開放するシャッタ３と、モータ（図示せず）により駆動される駆動ローラ４１、４２、４３と、プリヘッド２と対向するパットローラ４７と、各駆動ローラ４１、４２、４３と対向する従動ローラ４４、４５、４６と、磁気情報の読取／書込を行なう磁気ヘッド５を有する磁気ヘッド装置５０とが所定の位置に配置されている。
【００１６】
カードＣは、たとえば、厚さが０．７〜０．８ｍｍ程度の矩形状の塩化ビニール製のカードである。このカードＣの表面には、図２に示すように、磁気情報が記録される磁気ストライプＣＳが形成されている。また、カードＣは、厚さが０．１８〜０．３６ｍｍ程度のＰＥＴ（ポリエチレンテレフタレート）カードであっても良いし、所定の厚さの紙カード等であっても良い。
【００１７】
（磁気ヘッド装置）
図３は、本発明の実施の形態に係る磁気ヘッド装置５０の概略構成を示すブロック図である。図４は、図３に示す磁気ヘッド装置５０に用いる磁気ヘッド５の図であり、（Ａ）は斜視図、（Ｂ）は平面図である。
【００１８】
磁気ヘッド装置５０は、図３に示すにように、磁気ヘッド５と、アンプ６１と、復調回路６２と、判定部６３と、信号切替手段６４と、書込駆動回路６５と、ＣＰＵ６０とを有している。
【００１９】
磁気ヘッド５は、カードＣに形成された磁気ストライプＣＳに接触・摺動させて、磁気ストライプＣＳに記録されている磁気情報の読取を行うことや、新たに磁気情報を磁気ストライプＣＳに書込が行われるようになっている。
【００２０】
本実施の形態では、図４に示すように、磁気ヘッド５は、断面がほぼコ字形状した第一磁気コア５１および第二磁気コア５２を備えている。第一磁気コア５１、第二磁気コア５２は、パーマロイ，センダスト，フェライト等の磁性材料からなり、それぞれ所定の巻回数巻回された第一、第二コイル５４、５５が設けられている。第一磁気コア５１のコア幅Ｗ１は、第二磁気コア５２のコア幅Ｗ２よりも幅広となっており、いわゆるワイドライト／ナローリード磁気ヘッドと呼ばれている。本実施の形態において、カードリーダ１０が通常で動作する場合には、広いコア幅Ｗ１を持つ第一磁気コア５１は新たに磁気情報の書込を行う書込用コアとして用いられ、狭いコア幅Ｗ２の第二磁気コア５２は磁気情報の読取を行なう読取用コアとして用いられている。
【００２１】
このような第一磁気コア５１と第二磁気コア５２は、磁気ギャップＧを形成するギャップスペーサ５６を挟んで、各コアの中心位置をそろえるように対向配置され、第二磁気コア５２は、第一磁気コア５１とループ状磁路を形成するようになっている。カードＣの磁気ストライプＣＳに記録されている磁気情報が、ループ状磁路を通過する際、磁気ギャップＧ近傍の磁束が変化し、その変化に基づいて電磁誘導によって磁気ヘッド５から信号（電流）が発生するようになっている。また、第二磁気コア５２の両側には、積層スペーサ５７、５７を挟んでサイドコア５８、５８が設けられており、第二磁気コア５２、パーマロイ，センダスト，フェライト等の磁性材料からなるサイドコア５８、５８、非磁性材料からなるスペーサ５７、５７の合計の幅と第一磁気コア５１のコア幅がほぼ同じ幅となるように設けられている。
【００２２】
図３に示すように、磁気ヘッド５から出力される信号はアンプ６１に出力される。アンプ６１は磁気ヘッド５から出力される信号を所定の増幅率で増幅している。
【００２３】
復調回路６２は、アンプ６１で増幅され、磁気ヘッド５から出力される信号を復調するようになっている。カードリーダ１０においては、Ｆおよび２Ｆという２種類の周波数の組み合わせによって２値の信号を記録するＦ２Ｆ変調方式が一般に知られている。
【００２４】
本実施の形態においては、このＦ２Ｆ変調方式によって記録された磁気情報の読取時は、カードＣの磁気ストライプＣＳに対して相対的に磁気ヘッド５を接触・摺動させることにより、記録されている磁気情報をアナログ信号の形態で出力し、このアナログ信号の信号波形に基づき、「０」または「１」の２値化した信号を復調するようになっている。このようなＦ２Ｆ変調方式による復調は周知の技術であるのでここでの詳細な説明は省略する。
【００２５】
判定部６３は、復調された信号に基づき、磁気情報の読取が適切に行なわれたかどうかを判定している。
【００２６】
また、ＣＰＵ６０は、磁気ヘッド装置５０全体を制御しており、特に、本実施の形態では、判定部６３において磁気情報の読取が適切に行なわれないと判定された場合には、読取エラーが発生したとして、再読取を行なうために、信号切替手段６４を制御している。
【００２７】
信号切替手段６４は、判定部６３が磁気情報の読取が適正に行われないと判定した場合に、ＣＰＵ６０からの信号に基づき、磁気ヘッド５から出力される信号に切り替えるようにしている。具体的には、磁気情報の読取が適正に行なわない場合には、狭いコア幅Ｗ２の第二磁気コア５２に巻回されている第二コイル５５から出力される信号を、広いコア幅Ｗ１の第一磁気コア５１に巻回されている第一コイル５４から出力される信号に切り替えるようになっている。
【００２８】
書込駆動回路６５はカードＣの磁気ストライプＣＳに新たな磁気情報の書込を行なう回路である。本実施の形態では、図３に示すように、第一磁気コア５１に巻回されている第一コイル５４に接続され、ＣＰＵ６０に制御されながら書込電流が供給されるようになっている。
【００２９】
（カードリーダの動作）
次に、本実施形態のカードリーダ１０の動作の一例を説明する。
本実施の形態において、カードリーダ１０が初期状態で動作する場合には、狭いコア幅Ｗ２の第二磁気コア５２が磁気情報の読取を行なう読取用コアとして用いているので、信号切替手段６４は、第二磁気コア５２に巻回されている第二コイル５５とアンプ６１とを接続している。
【００３０】
カードリーダ１０は、図１に示すように、常時カード搬送路４を遮断するようにシャッタ３は閉じていて、カードＣをカード挿入口１から挿入すると、プリヘッド２がカードＣの磁気ストライプＣＳを検出して図示しないソレノイドを駆動する。ソレノイドが駆動し、シャッタ３を開放しカードＣは手動で奥まで挿入されてゆく。同時に、図示しない駆動モータが駆動するので各駆動ローラ４１〜４３が回転し、カードＣ先端が駆動ローラ４１に到達すると、駆動ローラ４１と従動ローラ４４がカードＣを挟持し、カード搬送路４上を自動で搬送される。
【００３１】
カードＣがカード搬送路４を搬送され、カードＣが磁気ヘッド５に到達する。カードＣは搬送されながら、カード搬送路４に臨ませた磁気ヘッド５は、カード搬送路４を搬送するカードＣの磁気ストライプＣＳに接触・摺動し、磁気ストライプＣＳに記録されている磁気情報の読取を行う。
【００３２】
具体的には、磁気ヘッド５において、狭いコア幅Ｗ２の第二磁気コア５２が磁気情報の読取を行なうので、磁気ストライプＣＳ内で、第二磁気コア５２のコア幅Ｗ２に対応した範囲（幅）に記録されている磁気情報の読取を行なう。
【００３３】
第２磁気コア５２に巻回された第二コイル５５から出力される信号がアンプ６１によって増幅されて復調回路６２に供給される。復調回路６２は増幅された信号を復調し、復調した磁気情報が判定部６３に供給される。判定部６３において供給された磁気情報が磁気ストライプＣＳの記録情報の規格に合っていれば読取が適正に行なわれたと判定された場合には、ＣＰＵ６０は、復調された磁気情報を使用してカードリーダ１０としての所定の処理を行なう。
【００３４】
さらに、カードリーダ１０において、所定の処理が終了すると、カードリーダ１０を制御する制御装置が、駆動モータを逆転してカードＣをカード挿入口１から排出する。
【００３５】
次に、狭いコア幅Ｗ２の第二磁気コア５２を使用した磁気情報の読取が適切に行なわれなかった場合には、再読取が行なわれる。
【００３６】
読取を行なった際、判定部６３において磁気情報の読取が適切に行なわれないと判定された場合には、ＣＰＵ６０が読取エラーが発生したとして、再読取を行なうために、信号切替手段６４を作動させる。すなわち、信号切替手段６４は、磁気ストライプＣＳの読取範囲を変更するために、狭いコア幅Ｗ２の第二の磁気コア５２に巻回されている二次コイル５５がアンプ６１から切り離されて、広いコア幅Ｗ１の第一磁気コア５１の第一コイル５４がアンプ６１に接続される。
【００３７】
このように、切り替えることで、図２に示すように、第一磁気コア５１のコア幅Ｗ１は、第二磁気コア５２のコア幅Ｗ２より広くなっているので、磁気ストライプＣＳに記録されている磁気情報の読取範囲も、第二磁気コア５２よりも広い範囲（幅）で再読取を行なうことができるようになる。
【００３８】
本実施の形態では、カードリーダ１０を制御する制御装置が、駆動モータを逆転してカードＣをカード挿入口１に搬送させ、カードＣを再度、カード搬送路４を搬送しながら、カード搬送路４に臨ませた磁気ヘッド５が、カードＣの磁気ストライプＣＳに接触・摺動し、磁気ストライプＣＳに記録されている磁気情報の再読取を行う。すなわち、広いコア幅Ｗ１の第一磁気コア５１により磁気ストライプＣＳに記録されているコア幅Ｗ１の範囲で磁気情報の再読取が行なわれる。広いコア幅Ｗ１の第一磁気コア５１に巻回されている第一コイル５４から出力される信号がアンプ６１によって増幅されて復調回路６２に供給される。復調回路６２はアンプ６１からの磁気情報を復調し、復調した磁気情報が判定部６３に供給される。判定部６３において供給された磁気情報が磁気ストライプＣＳの記録情報の規格に合っていれば読取が適正に行なわれたと判定された場合には、カードリーダ１０は、復調された磁気情報を使用してカードリーダ１０としての所定の処理を行なう。
さらに、カードリーダ１０において、所定の処理が終了すると、カードリーダ１０を制御する制御装置が、駆動モータを逆転してカードＣをカード挿入口１から排出する。
【００３９】
また、再読取を行なった際、判定部６３において磁気情報の読取が適切に行なわれないと判定された場合には、ＣＰＵ６０が読取エラーが発生したとして、カードリーダ１０を制御する制御装置に出力される。この制御装置は処理ができないと判定し、カードリーダ１０の処理を終了させる。たとえば、カードリーダ１０を制御する制御装置が、駆動モータを逆転してカードＣをカード挿入口１から排出する。
【００４０】
（実施の形態の主な効果）
このように本発明では、読取エラーが発生した後の再読取において、磁気ヘッド５の第一磁気コア５１により、磁気ストライプＣＳに記録されているコア幅Ｗ１の範囲で磁気情報の再読取が行なわれるので、コア幅Ｗ２の第二磁気コア５２を用いた読取の範囲に比べて、広く範囲（幅）で磁気情報の読取が行なわれる。そのため、磁気情報の読取が成功する確率を高めることができる。例えば、磁気ストライプＣＳ上に傷や部分的な減磁があった場合、再読取時に磁気ストライプＣＳの読取範囲を変えることで、その影響を減少させて再読取りを行なうことができる可能性があり、その場合には傷や減磁の影響を受けない又は小さくすることができる。そのため、再読取を行なうにあたり、磁気情報の読取が成功する確率を従来に比べて高めることができる。
【００４１】
さらに、読取範囲を変える手法として、磁気カードＣの搬送路に対して磁気ヘッド５をずらす手法や、磁気ヘッド５に対して磁気カード５の搬送路をずらす手法も考えられる。しかしながら、これらの手法では搬送路又は磁気ヘッド５を移動させるための駆動機構が必要となり、装置全体が大型化、重量化してしまう。これに対し、本実施の形態では、第二磁気コア５２を、コア幅が広い第一磁気コア５１に切り替えることで、磁気情報の読取の範囲を変更するようにしたので、大掛かりな駆動機構を必要としない。そのため、磁気ヘッド装置５０を小型化、軽量化することができる。
【００４２】
また、磁気ヘッド５自体としては第一磁気コアと第二磁気コアとしてコア幅の異なる２つの磁気コアを有することが既に一般的であり、本発明ではこれをそのまま使用することができるので、製造コストの大幅な増加を防止することができる。
【００４３】
（他の実施の形態）
なお、上述の形態は本発明の好適な形態の一例ではあるがこれに限定されるものではなく本発明の要旨を逸脱しない範囲において種々変形実施可能である。
【００４４】
例えば、上述の説明では、通常の動作時には、コア幅Ｗ２の狭い第二磁気コア５２を使用して読取りが行なわれており、読取エラーが発生した後の再読取時に、コア幅Ｗ１の広い第１磁気コア５１を使用して読取を行なうようにしていたが、必ずしもこれに限るものではなく、逆に、通常の動作時にはコア幅Ｗ１の第１磁気コア５１を使用して読取を行い、読取エラーが発生した後の再読取時にコア幅Ｗ２の第２磁気コア５２を使用して読取を行なうようにしても良い。このようにすることで、傷や減磁の影響を受けない又は小さくすることができる。
【００４５】
また、上述の説明では、磁気ヘッド５は、磁気ストライプＣＳに記録されている磁気情報の読取に関与する磁気コアとして２つの第一磁気コア５１、第二磁気コア５２を設けていたが、磁気コアの数は２つに限るものではなく、３つ以上設けても良い。例えば、図４（Ａ）に示す２つのサイドコア５８、５８は、第一、第二磁気コア５１、５２と同じように、パーマロイ，センダスト，フェライト等の磁性材料を用いて所定の形状に形成したコアや、あるいは薄板状の金属磁性材料を多数枚積層して所定のコア幅としたコア等が用いられている。そこで、２つのサイドコア５８、５８のいずれか一方又は両方にコイルを巻いて磁気コアとして使用しても良い。
【００４６】
また、図５に示すような磁気ヘッド装置５０Ａでも良い。磁気ヘッド装置５０Ａは、コア幅Ｗ１の第１磁気コア５１から出力される信号から、コア幅Ｗ２の第二磁気コア５２から出力される信号を減ずる演算回路６６を、信号切替回路６４の上流側に備えられている。なお、上述の磁気ヘッド装置５０の部材と同一の部材には同一の符号を付し、それらの詳細な説明を省略する。
【００４７】
図５に示すように、演算回路６６のプラス側入力端子には、コア幅Ｗ１の第一磁気コアに巻かれた第一コイル５４が、マイナス側入力端子にはコア幅Ｗ２の第二磁気コアに巻かれた第二コイル５５がそれぞれ接続されている。演算回路６６は、第一コイル５４から出力される信号から第二コイル５５から出力される信号を減じた信号を切り替える信号切替手段６４に出力するようになっている。
【００４８】
また、第二コイル５５は演算回路６６を介さずに直接、信号切替手段６４にも接続されている。信号切替手段６４は、第二コイル５５からの信号と演算回路６６からの信号のいずれか一方をアンプ６１に供給するようになっている。
【００４９】
カードリーダが通常で動作する場合には、上述した本実施の形態と同様に、信号切替手段６４は第二コイル５５から出力される信号をアンプ６１に供給している。
【００５０】
一方、判定部６２が読取エラーが発生したと判断した場合には、信号切替手段６４を制御し、第二コイル５５から出力される信号から演算回路６６から出力される信号に切り替わるようになっている。すなわち、第一コイル５４から出力される信号から第二コイル５５から出力される信号を減じた信号は、（第一磁気コア５１のコア幅Ｗ１）−（第２磁気コア５２のコア幅Ｗ２）に相当する出力信号となるので、切り替え前の磁気ストライプＣＳに記録された磁気情報の読取範囲とは異なる範囲で、再読取りが行なわれる。
【００５１】
この他の実施の形態において、再読取を行なうことで、磁気情報の読取が成功する確率を高めることができる点、装置を大型化、重量化せずに磁気ストライプＣＳに記録されている磁気情報の読取範囲を変えることができる。
【符号の説明】
【００５２】
５  磁気ヘッド
５１  第一磁気コア
５２  第二磁気コア
６４  信号切替手段
６７  演算回路
Ｃ  カード状媒体（カード）
ＣＳ  磁気ストライプ
Ｗ１，Ｗ２  コア幅
【図１】
2011070745.tif 000003
【図２】
2011070745.tif 000004
【図３】
2011070745.tif 000005
【図４】
2011070745.tif 000006
【図５】
2011070745.tif 000007